(57)【要約】  着床精度を損なうことなく、コードを有する長尺体の施工時間を短縮できるエレベーター装置が開示される。本エレベーター装置は、昇降路内の位置を示すコードを有する長尺体（３）を有し、乗りかごに設けられる検出装置によってコードを読み取るものであって、長尺体は、階床出入口側に設けられて階床出入口の出入口芯を基準にして位置合わせされる部材（１Ａ〜１Ｃ，２Ａ〜２Ｃ）によって支持される。
2020115900.tif 000002
【特許請求の範囲】
【請求項１】
昇降路内の位置を示すコードを有する長尺体を有し、乗りかごに設けられる検出装置によって前記コードを読み取るエレベーター装置において、
前記長尺体は、階床出入口側に設けられて前記階床出入口の出入口芯を基準にして位置合わせされる部材によって支持されることを特徴とするエレベーター装置。
【請求項２】
請求項１に記載のエレベーター装置において、
前記部材がシルであることを特徴とするエレベーター装置。
【請求項３】
請求項１に記載のエレベーター装置において、
前記部材がドアポケットであることを特徴とするエレベーター装置。
【請求項４】
請求項３に記載のエレベーター装置において、
前記長尺体の上端部が、前記ドアポケットに固定されるプレート材によって支持されることを特徴とするエレベーター装置。
【請求項５】
請求項４に記載のエレベーター装置において、
前記プレート材は端部にシャフトを備え、
前記長尺体は前記シャフトに巻き掛けられることを特徴とするエレベーター装置。
【請求項６】
請求項１に記載のエレベーター装置において、
前記長尺体の上端部がＨ鋼によって支持されることを特徴とするエレベーター装置。
【請求項７】
請求項６に記載のエレベーター装置において、
前記Ｈ鋼は吊りビームであることを特徴とするエレベーター装置。
【請求項８】
請求項１に記載のエレベーター装置において、
前記長尺体は、取付部材を介して前記部材に接続され、
前記取付部材は、前記長尺体の位置を調整する手段を有することを特徴とするエレベーター装置。
【請求項９】
請求項８に記載のエレベーター装置において、
前記長尺体の位置を調整する前記手段は、前記取付部材が有する長孔であることを特徴とするエレベーター装置。
【請求項１０】
請求項１に記載のエレベーター装置において、
前記長尺体の下端部には、錘が接続されることを特徴とするエレベーター装置。
【発明の詳細な説明】
【技術分野】
【０００１】
本発明は、乗りかごの位置を検出するエレベーター装置に関する。
【背景技術】
【０００２】
昇降路内の位置を示すコードを有する長尺体を昇降路内に設け、乗りかごに設けられる読み取り装置によってコードを読み取ることにより、乗りかごの位置を検出する技術が知られている。【０００３】
例えば、特許文献１に記載の従来技術では、コードを有する測定テープがエレベーターシャフト内に垂直に配置され、エレベーターかごには測定テープを検出するための照明源とセンサが設けられる。
【先行技術文献】
【特許文献】
【０００４】
【特許文献１】特開２０１３−２３０９３６号公報
【発明の概要】
【発明が解決しようとする課題】
【０００５】
上記従来技術では、最上階からピット付近まで連続した測定テープが、出入口横の前面壁に取り付けられている。このため、建屋の建築誤差に応じて測定テープを真っ直ぐに取り付けるには、ライナーなどを用いて測定テープの位置を調整する必要がある。したがって、測定テープの施工時間が長くなってしまう。また、偏荷重などにより乗りかごの着床位置が変化すると、着床精度が変動してしまう。【０００６】
そこで、本発明は、着床精度を損なうことなく、コードを有する長尺体の施工時間を短縮できるエレベーター装置を提供する。
【課題を解決するための手段】
【０００７】
上記課題を解決するために、本発明によるエレベーター装置は、昇降路内の位置を示すコードを有する長尺体を有し、乗りかごに設けられる検出装置によってコードを読み取るものであって、長尺体は、階床出入口側に設けられて階床出入口の出入口芯を基準にして位置合わせされる部材によって支持される。
【発明の効果】
【０００８】
本発明によれば、着床精度を損なうことなく、コードを有する長尺体の施工時間を短縮できる
上記した以外の課題、構成および効果は、以下の実施形態の説明により明らかにされる。
【図面の簡単な説明】
【０００９】
【図１】実施例１であるエレベーター装置を示す正面図である。
【図２】実施例１の最上階出入口側を示す上面図である。
【図３】実施例１の最上階出入口側を示す正面図である。
【図４】中間階ポケットおよび中間階シルによるコードテープの支持構造を示す部分拡大図である。
【図５】実施例２であるエレベーター装置を示す正面図である。
【発明を実施するための形態】
【００１０】
以下、本発明の実施形態について、下記の各実施例により、図面を用いながら説明する。各図において、参照番号が同一のものは同一の構成要件あるいは類似の機能を備えた構成要件を示している。
【実施例１】
【００１１】
図１は、本発明の実施例１であるエレベーター装置を示す正面図である。本図は、昇降路内から階床出入り口を見た場合の正面図である。なお、乗場ドア、乗りかごおよび駆動機構は図示を省略している。【００１２】
乗りかご側から見た最上階の階床出入口側には、昇降方向に所定距離を隔てて最上階ポケット１Ａと最上階シル２Ａがそれぞれ水平方向に延びて配置されている。これらの最上階ポケット１Ａおよび最上階シル２Ａは、出入口芯を基準にして位置合わせすなわち芯出しされて据え付けられている。ここで、出入口芯とは、図１に示すように、出入口の間口の中心位置である。すなわち、最上階ポケット１Ａおよび最上階シル２Ａは、出入口の間口の中心位置に対して位置合わせされている。ここで、建屋側に設けられるドアポケットおよびシルを、それぞれ、簡単に、「ポケット」および「シル」と記す。なお、最上階ポケット１Ａには、乗場ドアを懸垂するドアレールなどが設けられる（後述する中間階ポケット１Ｂおよび最下階ポケット１Ｃも同様）。【００１３】
中間階の階床出入口側には、昇降方向に所定距離を隔てて中間階ポケット１Ｂと中間階シル２Ｂがそれぞれ水平方向に延びて配置されている。これらの中間階ポケット１Ｂおよび中間階シル２Ｂも、同様に、出入口芯を基準にして芯出しされて据え付けられている。【００１４】
最下階の階床出入口側には、昇降方向に所定距離を隔てて最下階ポケット１Ｃと最下階シル２Ｃがそれぞれ水平方向に延びて配置されている。これらの最下階ポケット１Ｃおよび最下階シル２Ｃも、同様に、出入口芯を基準にして芯出しされて据え付けられている。【００１５】
昇降路内においては、昇降方向に延びたコードテープ３が、最上階ポケット１Ａおよび最上階シル２Ａの図１における左方側端部と、中間階ポケット１Ｂおよび中間階シル２Ｂの図１における左方側端部と、最下階ポケット１Ｃおよび最下階シル２Ｃの図１における左方側端部とによって支持されている。なお、コードテープ３は、各階ポケット（１Ａ，１Ｂ，１Ｃ）および各階シル（２Ａ，２Ｂ，２Ｃ）の右方側端部によって支持されてもよい。【００１６】
このように、コードテープ３が、芯出しされて据え付けられている各階ポケットおよび各階シルによって支持されることにより、コードテープ３は、繁雑な位置合わせ作業を行うことなく、自ずと所定位置に位置合わせされる。【００１７】
ここで、コードテープ３は、昇降路内の位置を示すコードを有する長尺体であり、乗りかごに設けられる検出装置によってコードを読み取ることにより、乗りかごの位置が検出される。例えば、コードは、幾何学的パターン（２値パターン、バーコードなど）によってテープ表面に表されて、乗りかごに設けられる光学センサによって読み取られたり、磁気的に記録されて、乗りかごに設けられる磁気センサによって読み取られたりする。【００１８】
コードテープ３の下端部には、ウェート５（錘）が接続される。コードテープ３の下端部は、ウェート５によってコードテープ３に与えられる鉛直方向の力によって引っ張られている。なお、ウェート５は、昇降路壁面に設けられる図示されない部材によって、横方向への揺れや振れが防止されていてもよい。【００１９】
ここで、図１に示されている最上階ポケット１Ａの上方部でコードテープ３の上端部を支持する構成について、図２および図３を参照しながら説明する。【００２０】
図２は、実施例１（図１）のエレベーター装置の最上階出入口側を示す上面図である。また、図３は、実施例１（図１）のエレベーター装置の最上階出入口側を示す正面図である。なお、図２および図３においては、部品同士の重なりのために実際には見えない部品の外形線を、透視して実線で示している。【００２１】
コードテープ３の上端部は、最上階ポケット１Ａよりも上方である昇降路頂部に位置する。コードテープ３の上端部の支持構成は次のとおりである。【００２２】
ブラケット２３が、最上階ポケット１Ａにポケット固定ボルト２３Ｂで固定されている。ブラケット２３には、つなぎプレート１６が、つなぎプレート固定ボルト２３Ａで取り付けられている。つなぎプレート１６は、ブラケット２３からコードテープ３の上端部に向かって、最上階ポケット１Ａの長手方向すなわち水平方向に対して斜め方向に延びている。つなぎプレート１６の両端の内、コードテープ３の上端部側の端部には、コードテープサポート２１が、コードテープサポート固定ボルト２１Ａによって固定されている。コードテープサポート２１には、コードテープサポート用のシャフト２２が貫通して、取り付けられている。コードテープサポート用のシャフト２２により、コードテープ３の上端部が支持されている。【００２３】
つなぎプレート１６は、コードテープ３の重量を支持するため、実質的に剛性を有するように、厚みが設定される。また、最上階ポケット１Ａからの、つなぎプレート１６のコードテープ３の上端部側の端部の高さは、ブラケット２３における、つなぎプレート固定ボルト２３Ａを通す孔部の位置によって調整することができる。【００２４】
上述のような、コードテープ３の上端部を支持する構成によれば、昇降路壁面から離れた、最上階ポケット１Ａにおけるコードテープ３の支持部の直上において、コードテープ３の上端部を固定することができる。また、コードテープ３の可撓性を利用して、コードテープサポート用のシャフト２２にコードテープ３の端部を巻きかけることにより、端部の固定に伴い端部が受けるダメージを緩和することができる。したがって、コードテープ３の上端部を高信頼に固定できる。【００２５】
図４は、中間階ポケット１Ｂおよび中間階シル２Ｂによるコードテープ３の支持構造を示す部分拡大図である。【００２６】
中間階ポケット１Ｂの上部に位置している正面壁には、ボルト６によってポケット固定ブラケット７が固定されている。このポケット固定ブラケット７に一端部が固定される取付金具８の他端部に、中間階ポケット１Ｂが芯出しされて取り付けられている。【００２７】
芯出しされた中間階ポケット１Ｂの端部上面には、ほぼ水平に配置される板状の腕部材９が載置されている。腕部材９の一端部は、取付金具８と中間階ポケット１Ｂの端部上面との間に挟み込んで配置されており、ボルト１０によって中間階ポケット１Ｂ側に固定されている。【００２８】
コードテープ３に向かって中間階ポケット１Ｂから離れる方向に延びる腕部材９の他端部の上面には、ほぼＬ字状に折り曲げられているコードテープ取付部材１１の水平部１１Ａが載置され、腕部材９の他端部と水平部１１Ａがボルト１２によって互いに固定されている。コードテープ取付部材１１の垂直部１１Ｂには、コードテープ３が固定されている。【００２９】
このように、コードテープ３は、芯出しされて据え付けられている中間階ポケット１Ｂに、腕部材９およびコードテープ取付部材１１を介して固定されている。これにより、コードテープ３は、繁雑な位置合わせ作業をすることなく、容易に所定位置に配置される。【００３０】
中間階ポケット１Ｂの下方に配置されたシル２Ｂは、正面壁に固定されたブラケット１３に対して芯出しされて据え付けられているが、ブラケット１３は出入口芯を基準にして芯出しされているので、実質、出入口芯に対して芯出しされている。ここで、芯出しされた中間階シル２Ｂの端部上面には、Ｌ字固定部材１４の上面側水平部１４Ａが載置されている。この上面側水平部１４Ａは、ボルト１５によって中間階シル２Ｂの端部に固定されている。Ｌ字固定部材１４の垂直部１４Ｂには、コードテープ３が固定されている。【００３１】
このように、コードテープ３は、芯出しされて据え付けられている中間階シル２Ｂに、Ｌ字固定部材１４を介して固定されている。これにより、コードテープ３は、繁雑な位置合わせ作業をすることなく、容易に所定位置に配置される。【００３２】
図４中には、Ａ部（破線を施した部分）、すなわち腕部材９と、コードテープ取付部材１１の水平部１１Ａとの接続部の上面を、図中の右上方に示す。なお、腕部材９と水平部１１Ａの接続を解いた状態を示す。【００３３】
図４中に示すように、コードテープ取付部材１１の水平部１１Ａには、ボルト１２を通す丸孔が設けられ、腕部材９には同じボルト１２を通す長孔が設けられる。これにより、腕部材９における、コードテープ取付部材１１の固定位置を適宜調整することができる。したがって、コードテープ３の位置を微調整することができるので、コードテープを所定位置に高精度に位置合わせすることができる。【００３４】
なお、最上階ポケット１Ａおよび最上階シル２Ａによるコードテープ３の支持構造、並びに最下階ポケット１Ｃおよび最下階シル２Ｃによるコードテープ３の支持構造は、図４に示す中間階ポケット１Ｂおよび中間階シル２Ｂによるコードテープ３の支持構造と同様である。また、シルによるコードテープ３の支持構造が、上述のようなコードテープ３の位置を調整する手段を有していてもよい。【００３５】
前述のように、コードテープ３のコードを読み取る検出装置は、乗りかごに設けられている。検出装置は、最上階と最下階間において乗りかごが位置する範囲内では、コードテープ３における最上階ポケット１Ａと最下階シル２Ｃ間に位置するコードを読み取る。したがって、コードテープ３の取り付けには高い位置合わせ精度を要する。これに対し、本実施例によれば、コードテープ３が、芯出しされて据え付けられている各階ポケットおよび各階シルによって支持されるとともに、支持部においてコードテープ３の微調整ができる。これにより、コードテープ３は、高精度で、所定位置に配置される。【００３６】
また、コードテープ３において、検出装置によって読み取られる範囲を外れるコードテープ３の上端部および下端部においては、コードテープ３の取り付けには高い位置合わせ精度を要さない。したがって、上述のような（図１−３）、コードテープ３の上端部および下端部の支持構成により、繁雑な作業をせずに、容易に上端部および下端部を支持することができる。なお、コードテープ３の下端部に固定されるウェート５により、コードテープ３を鉛直方向に引っ張ることにより、コードテープ３のたるみが防止されるので、コードの検出誤差が低減できる。【００３７】
乗りかごにおける検出装置の位置は、かご上、かご側面、かご下などのいずれでもよい。シル２Ａ〜２Ｃの位置で検出されるコードを乗りかごの位置検出に利用する場合は、検出装置をかご下に設けることが好ましい。また、検出装置をかご上に設けることにより、検出装置の保守点検作業が容易になる。また、検出装置をかご側面に設ける場合でも、かご上から保守点検作業ができる位置であれば、保守点検作業が容易になる。【００３８】
上述のような実施例１によれば、乗りかごの位置を検出するためのコードを有する長尺体であるコードテープが、出入口芯に対して芯出しされて据え付けられているエレベーター構成部材である乗場側（建屋側）のドアポケットおよびシルの端部において支持されるので、繁雑な位置合わせ作業をすることなく、所定位置に配置される。これにより、コードテープの施工時間を短縮できる。さらに、本実施例１によれば、ドアポケットおよびシルの端部におけるコードテープ支持部においてコードテープの位置を微調整することができるので、芯出しされた部材によるコードテープの支持構成と相俟って、コードテープを所定位置に高精度に配置することができる。【００３９】
また、コードテープが、乗りかごに近接する階床出入口側に設けられるので、乗りかごの偏荷重などにより着床位置が変動しても、検出誤差を抑制できるので、着床精度の低下を防止できる。【００４０】
また、本実施例１によれば、乗りかごの昇降方向沿って、位置調整の状態を乗りかごの位置から逐次確認しなくてもよいため、コードテープの施工時間を短縮することができる。【００４１】
さらに、芯出しされている部材である最上階ポケット１Ａに下端部が固定され、かつ上端部がドアポケットおよびシルにおけるコードテープの支持部の直上に位置する部材であるつなぎプレートの上端部にコードテープの上端が支持されるので、繁雑な位置設定作業をすることなく、コードテープ上端の支持位置を設定することができる。【００４２】
本実施例１では、各ポケット（１Ａ〜１Ｃ）および各シル（２Ａ〜２Ｃ）によりコードテープ３を支持しているが、これに限らず、各ポケット（１Ａ〜１Ｃ）および各シル（２Ａ〜２Ｃ）からコードテープを支持する部材を適宜選択してもよい。また、階床出入口側に配置されるドアポケットやシルに限らず、階床出入口近傍で階床出入口芯を基準に取り付けられている部材や部品によってコードテープを支持してもよい。また、階床出入口近傍で階床出入口芯を基準に取り付けられている部材や部品とコードテープ３の間を接続するための部材の形状や個数は様々でよい。
【実施例２】
【００４３】
図５は、本発明の実施例２であるエレベーター装置を示す正面図である。本図は、昇降路内から階床出入り口を見た場合の正面図である。なお、乗場ドア、乗りかごおよび駆動機構は図示を省略している。以下、主に、実施例1と異なる点について説明する。【００４４】
図５に示すように、本実施例２において、コードテープ３の上端部は、実施例１（図１）とは異なり、Ｈ鋼４によって支持される。【００４５】
本実施例２においては、Ｈ鋼４として、エレベーターを据付け時にガイドレールや乗りかごの床部品などを荷揚げまたは組み立てを行う際に使われる上部吊りビームが用いられる。上部吊りビームは、建屋壁等に固定され、使用目的に応じた強度を有しているので、コードテープ３を支持するには十分な強度を有している。【００４６】
Ｈ鋼４の下端部にコードテープサポート２１が取り付けられている。このコードテープサポート２１によって、実施例１と同様に、コードテープ３が支持される。このように、比較的簡単な支持構成によりコードテープ３が支持されるので、コードテープ３の施工時間を短縮することができる。【００４７】
このような構成によれば、階床出入口近傍で階床出入口芯を基準に取り付けられている部品に、コードテープ３の上部も含めて精度良く支持することができる共に、施工時間を一層短縮することができる。【００４８】
なお、本発明は前述した実施例に限定されるものではなく、様々な変形例が含まれる。例えば、前述した実施例は本発明を分かりやすく説明するために詳細に説明したものであり、必ずしも説明した全ての構成を備えるものに限定されるものではない。また、各実施例の構成の一部について、他の構成の追加・削除・置き換えをすることが可能である。【００４９】
例えば、エレベーター装置が設置される建屋の階床数は任意でよい。【００５０】
また、コードテープは、乗りかごの位置検出のほか、乗りかごの速度検出や加減速度検出に用いられてもよい。【００５１】
また、エレベーター装置は、機械室を備えていてもよいし、機械室レスでもよい。
【符号の説明】
【００５２】
１Ａ  最上階ポケット、１Ｂ  中間階ポケット、１Ｃ  最下階ポケット、２Ａ  最上階シル、２Ｂ  中間階シル、２Ｃ  最下階シル、３  コードテープ、４  Ｈ鋼、５  ウェート、７  ポケット固定ブラケット、８  取付金具、９  腕部材、１１  コードテープ取付部材、１４  Ｌ字固定部材、１６  つなぎプレート、２１  コードテープサポート、２２  シャフト
【図１】
2020115900.tif 000003
【図２】
2020115900.tif 000004
【図３】
2020115900.tif 000005
【図４】
2020115900.tif 000006
【図５】
2020115900.tif 000007
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
昇降路内の位置を示すコードを有し、昇降方向に延びる長尺体を有し、乗りかごに設けられる検出装置によって前記コードを読み取るエレベーター装置において、
前記長尺体は、階床出入口側に設けられて前記階床出入口の出入口芯を基準にして位置合わせされ、水平方向に延びるシルおよびドアポケットによって支持され、
前記長尺体は、前記シルおよび前記ドアポケットにおける左右側端部の一方の端部によって支持され、
前記シルにおける前記端部は、前記長尺体に水平方向で隣接し、
前記ドアポケットにおける前記端部は、前記長尺体から水平方向に離れ、
前記長尺体は、第１の取付部材を介して前記シルにおける前記端部に接続され、
前記長尺体は、前記長尺体の位置を調整する手段を有する第２の取付部材を介して前記ドアポケットにおける前記端部に接続されることを特徴とするエレベーター装置。
【請求項２】
（削除）
【請求項３】
（削除）
【請求項４】
請求項１に記載のエレベーター装置において、
前記長尺体の上端部が、前記ドアポケットに固定されるプレート材によって支持されることを特徴とするエレベーター装置。
【請求項５】
請求項４に記載のエレベーター装置において、
前記プレート材は端部にシャフトを備え、
前記長尺体は前記シャフトに巻き掛けられることを特徴とするエレベーター装置。
【請求項６】
請求項１に記載のエレベーター装置において、
前記長尺体の上端部がＨ鋼によって支持されることを特徴とするエレベーター装置。
【請求項７】
請求項６に記載のエレベーター装置において、
前記Ｈ鋼は吊りビームであることを特徴とするエレベーター装置。
【請求項８】
（削除）
【請求項９】
請求項１に記載のエレベーター装置において、
前記長尺体の位置を調整する前記手段は、前記第１の取付部材が有する長孔であることを特徴とするエレベーター装置。
【請求項１０】
請求項１に記載のエレベーター装置において、
前記長尺体の下端部には、錘が接続されることを特徴とするエレベーター装置。
【国際調査報告】
2020115900.tif 000008
2020115900.tif 000009
2020115900.tif 000010